(57)【要約】【課題】表示画面の少なくとも一部を隠す演出に際し、遊技の興趣を向上させることができる遊技機を提供する。【解決手段】遊技機は、複数の可動体４４ａ，４４ｂ，４４ｃを前後方向に重なり合った状態の閉状態と、各可動体が移動方向に広がって表示画面６ａの一部を遮蔽する状態の開状態と、に状態変化する可動演出装置４０Ｒを備えている。可動演出装置４０Ｒは、閉状態から開状態に到る途中の第１の可動体停止位置までの間、各可動体４４ａ，４４ｂ，４４ｃを重なり合ったままの状態で移動させ、第１の可動体停止位置にて最前の可動体４４ａを移動停止させる。【選択図】図１５
2018038474.tif 000002
【特許請求の範囲】
【請求項１】
（ａ）画像を表示する表示画面と、
（ｂ）該表示画面の前側に位置する複数の可動体を有し、これら複数の可動体を、前後方向に重なり合った状態の閉状態と、移動方向に広がって前記表示画面の少なくとも一部を遮蔽する状態の開状態と、に状態変化させる可動演出装置と、
（ｃ）前記可動体の状態変化と連携して、前記表示画面に表示される前記画像を変化させる演出制御手段と、を備え、
前記可動演出装置は、
前記閉状態から前記開状態に到る途中に設定された可動体停止位置までの間、前記各可動体を重なり合ったままの状態で移動させ、
前記可動体停止位置にて一部の可動体を移動停止させるように構成されていることを特徴とする遊技機。
【請求項２】
前記前後方向に重なった２つの前記可動体を互いに一体移動可能に連結する連結手段と、
前記可動体停止位置において、これら可動体の連結を解除する連結解除手段と、が設けられていることを特徴とする請求項１に記載の遊技機。
【発明の詳細な説明】
【技術分野】
【０００１】
本発明は、演出に応じた画像を表示する表示画面の一部を遮蔽する可動演出装置を備えた遊技機に関する。
【背景技術】
【０００２】
遊技盤の盤面中央に設けられた液晶式の画像表示画面の前側に、複数の可動体（開閉部材）を備えたシャッター装置を配設し、可動体を作動させて表示画面を遮蔽し、表示画面上の図柄を一旦隠す演出を行う遊技機として、下記特許文献１に記載のものがある。
【先行技術文献】
【特許文献】
【０００３】
【特許文献１】特開２００７−９８０２７号公報（請求項１、図１）
【発明の概要】
【発明が解決しようとする課題】
【０００４】
ところで、表示画面の少なくとも一部を隠す演出に際し、遊技の興趣を向上させたいという要望がある。
【０００５】
本発明は、上述の課題を解決するものであり、表示画面の少なくとも一部を隠す演出に際し、遊技の興趣を向上させることができる遊技機を提供することを目的とする。
【課題を解決するための手段】
【０００６】
本発明の請求項１に係る遊技機は、（ａ）画像を表示する表示画面と、（ｂ）該表示画面の前側に位置する複数の可動体を有し、これら複数の可動体を、前後方向に重なり合った状態の閉状態と、移動方向に広がって前記表示画面の少なくとも一部を遮蔽する状態の開状態と、に状態変化させる可動演出装置と、（ｃ）前記可動体の状態変化と連携して、前記表示画面に表示される前記画像を変化させる演出制御手段と、を備え、
前記可動演出装置は、前記閉状態から前記開状態に到る途中に設定された可動体停止位置までの間、前記各可動体を重なり合ったままの状態で移動させ、前記可動体停止位置にて一部の可動体を移動停止させるように構成されていることを特徴とする。
【０００７】
また本発明の請求項２に係る遊技機は、請求項１において、前記前後方向に重なった２つの前記可動体を互いに一体移動可能に連結する連結手段と、前記可動体停止位置において、これら可動体の連結を解除する連結解除手段と、が設けられていることを特徴とする。
【発明の効果】
【０００８】
本発明によれば、表示画面の少なくとも一部を隠す演出に際し、遊技の興趣を向上させることができる。
【図面の簡単な説明】
【０００９】
【図１】本発明の実施形態に係る遊技機の正面図である。
【図２】同遊技機の電気系統のブロック図である。
【図３】同遊技機におけるシャッター装置の正面図である。
【図４】図３のシャッター装置の分解斜視図である。
【図５】図３のシャッター装置の要部を示した断面図である。
【図６】図４のベース枠を、ガイドカバーを除いた状態で示した正面図である。
【図７】図４のガイドカバーの正面図である。
【図８】図４の駆動ユニットを示した平面図である。
【図９】図４の第１可動体を正面側から示した斜視図である。
【図１０】（Ａ）は図９の第１可動体の上部を裏面側から示した斜視図である。（Ｂ）はガイドロッドで支持された第１可動体を第２可動体とともに示した図である。
【図１１】図４の第２可動体を正面側から示した斜視図である。
【図１２】図１１の第２可動体の上部を裏面側から示した斜視図である。
【図１３】図４の第３可動体を正面側から示した斜視図である。
【図１４】図１３の第３可動体の上部を裏面側から示した斜視図である。
【図１５】シャッター装置における開動作時の各可動体の動きを模式的に示した図である。
【図１６】シャッター装置の開動作についての作用説明図である。
【図１７】図１６に続く作用説明図である。
【図１８】図１７に続く作用説明図である。
【図１９】図１８に続く作用説明図である。
【図２０】可動体が広がった開状態での遊技機の正面図である。
【図２１】シャッター装置の閉動作についての作用説明図である。
【図２２】図２１に続く作用説明図である。
【図２３】図２２に続く作用説明図である。
【図２４】本発明の他の実施形態における演出の説明図である。
【発明を実施するための形態】
【００１０】
遊技機１は、パチンコ遊技機であり、図１に示すように、前面枠１１、外枠１２、及び、内枠１３を備え、内枠１３には遊技盤２が取り付けられている。外枠１２は、遊技機１の外郭部となる枠体であり、内枠１３は、外枠１２に対して開閉可能に取り付けられ、外枠１２の内側に配置されている。遊技盤２には、発射ハンドル２７の操作により発射された遊技球が流下する遊技領域３が、レール部材４で囲まれて形成され、遊技領域３には、遊技球を誘導する遊技釘（図示せず）が多数突設されている。なお、本明細書中、上下とは、遊技を行うために遊技機１を立設した状態における上下をいい、左右は、遊技盤２の遊技領域３に向かって左右をいうものとする。また、遊技盤２の遊技領域３側を前方とし、その反対側を後方とする。
【００１１】
前面枠１１は、内枠１３及び外枠１２に対して開閉可能に、内枠１３の前面側に取り付けられ、遊技盤２を保護するとともに、発射ハンドル２７、枠ランプ１８及びスピーカ１７が配設されている。前面枠１１は、遊技領域３や、遊技盤２の遊技領域３外に配置された図柄表示器１４及び保留ランプ１６を目視できるように、それらの前側を覆う透明なガラス部１１ａと、そのガラス部１１ａの下方の皿ユニット部１１ｂとを備え、皿ユニット部１１ｂには、遊技球の貯留皿が設けられるとともに、演出ボタン１０が配設されている。
【００１２】
遊技盤２には盤ランプ１９が配設され、遊技盤２の中央部には、画像表示器６の表示画面６ａが配置されている。画像表示器６は、客待ち用のデモ演出、図柄変動演出、大当たり遊技に並行して行われる大当たり演出などを表示画面６ａに表示する。図柄変動演出は、数字等の識別情報を有する装飾図柄を変動させた後停止させ、その停止させた装飾図柄により、大当たり判定の結果を報知する演出である。この図柄変動演出は、後述する特別図柄変動に並行して行われる。
【００１３】
遊技盤２と表示画面６ａとの間、即ち、表示画面６ａの前側には、後に詳述する可動演出装置としての第１のシャッター装置４０Ｒが表示画面６ａの右側に、また第２のシャッター装置４０Ｌが表示画面６ａの左側に配設されている。これらシャッター装置４０Ｒ，４０Ｌは通常時、図１に示すように、遊技盤２に取り付けられた、人に似た生物の顔が描かれている装飾部材３０の後側に位置しており、演出に応じて遊技盤２の中央に移動して表示画面６ａの一部を遮蔽する。
【００１４】
遊技領域３には、始動入賞装置５が設けられている。始動入賞装置５は、常時開放されている第１始動口５ａと、電動チューリップ（以下、「電チュー」という。）５ｃにより開閉される第２始動口５ｂとを備えている。電チュー５ｃは、電チューソレノイド５ｆ（図２参照）により駆動される。第２始動口５ｂは、電チュー５ｃが開いているときのみ遊技球が入賞可能となる。
【００１５】
また、遊技領域３には、大入賞装置７と、遊技球が通過可能なゲート８と、複数の普通入賞装置９とが設けられている。大入賞装置７は、大入賞口ソレノイド７ｃ（図２参照）により開閉される大入賞口７ａを備えている。各普通入賞装置９に入った遊技球は、その普通入賞装置９内の普通入賞口９ａに入賞する。遊技領域３の中央下端部には、いずれの入賞装置にも入賞しなかった遊技球が排出されるアウト口が設けられている。
【００１６】
遊技領域３の外側には、複数のランプからなる図柄表示器１４、及び、保留ランプ１６が設けられている。図柄表示器１４に含まれる第１特別図柄表示器１４ａ及び第２特別図柄表示器１４ｂ（図２参照）は、それぞれ、遊技球の第１始動口５ａ、第２始動口５ｂへの入賞を契機として行われる大当たり抽選の結果を、変動表示を経て停止表示された図柄（特別図柄）により報知する（これを「特別図柄変動」という）ものである。第１特別図柄表示器１４ａ、第２特別図柄表示器１４ｂに停止表示された図柄（特別図柄）が大当たり図柄又は小当たり図柄であれば、大入賞口７ａを所定回数開閉する当たり遊技が行われる。
【００１７】
特別図柄変動の実行中または当たり遊技の実行中に、遊技球が第１始動口５ａまたは第２始動口５ｂに入賞すると、メイン制御基板２０（図２参照）は、その入賞に対して取得した大当たり乱数等の乱数を、保留記憶として記憶する。そして、特別図柄変動を実行可能になったときに、記憶しておいた保留記憶に基づいて大当たりか否かの判定を行い、特別図柄変動を実行する。
【００１８】
保留ランプ１６に含まれる第１特別図柄保留ランプ１６ａ及び第２特別図柄保留ランプ１６ｂ（図２参照）は、それぞれ、第１始動口５ａ、第２始動口５ｂへの入賞に基づく保留記憶の個数を表示するものである。なお、第１始動口５ａ、第２始動口５ｂへの入賞に基づく保留記憶の個数は、それぞれ４個が上限とされている。
【００１９】
図柄表示器１４に含まれる普通図柄表示器１４ｃ（図２参照）は、ゲート８への遊技球の通過を契機として行われる普通図柄抽選の結果を、変動表示を経て停止表示される普通図柄により報知する（これを「普通図柄変動」という）ものである。停止表示された普通図柄が当たり図柄であれば、所定時間及び所定回数、電チュー５ｃを開く補助遊技が行われる。
【００２０】
普通図柄変動の実行中または補助遊技の実行中に、遊技球がゲート８を通過すると、メイン制御基板２０は、その通過に対して取得した当たり乱数を記憶する。そして、普通図柄変動を開始可能な状態になったときに、記憶しておいた当たり乱数を用いて当たりか否かの判定を行い、普通図柄の変動表示を開始して、その判定結果を示す普通図柄を停止表示する。保留ランプ１６に含まれる普通図柄保留ランプ１６ｃ（図２参照）は、このように記憶されている当たり乱数の個数を表示するものである。なお、記憶される当たり乱数は４個が上限とされている。
【００２１】
次に、図２に基づいて実施形態の遊技機１の電気系統について説明する。実施形態の遊技機１は、メイン制御基板２０、払出制御基板２１、サブ制御基板２５を備え、サブ制御基板２５は、演出制御基板２２、画像制御基板２３、及び、ランプ制御基板２４を備えている。そして、払出制御基板２１及び演出制御基板２２はメイン制御基板２０に接続され、画像制御基板２３及びランプ制御基板２４は演出制御基板２２に接続されている。各制御基板は、ＣＰＵ、ＲＯＭ、ＲＡＭ等を備えている。
【００２２】
メイン制御基板２０は、大当たりの抽選や遊技状態の移行など主に利益に関わる制御を行うものである。メイン制御基板２０には、第１始動口５ａに入球した遊技球を検出する第１始動口ＳＷ（スイッチ）５ｄ、第２始動口５ｂに入球した遊技球を検出する第２始動口ＳＷ５ｅ、電チュー５ｃを駆動する電チューソレノイド５ｆ、ゲート８を通過した遊技球を検出するゲートＳＷ８ａ、大入賞口７ａに入球した遊技球を検出する大入賞口ＳＷ７ｂ、大入賞口開閉部材を駆動する大入賞口ソレノイド７ｃ、各普通入賞口９ａに入球した遊技球を検出する普通入賞口ＳＷ９ｂ、第１特別図柄保留ランプ１６ａ、第２特別図柄保留ランプ１６ｂ、普通図柄保留ランプ１６ｃ、第１特別図柄表示器１４ａ、第２特別図柄表示器１４ｂ、普通図柄表示器１４ｃがそれぞれ接続され、図２に矢印で示すように、各スイッチからはメイン制御基板２０に信号が入力され、各ソレノイドやランプ等にはメイン制御基板２０から信号が出力される。
【００２３】
また、メイン制御基板２０は、払出制御基板２１に各種コマンドを送信するとともに、払い出し監視のために払出制御基板２１から信号を受信する。払出制御基板２１には、図示しない払出装置を駆動する払出駆動モータ２６が接続され、払出制御基板２１は、メイン制御基板２０から受信したコマンドに従って払出駆動モータ２６を動作させ、賞球の払出を行わせる。
【００２４】
さらに、メイン制御基板２０は、演出制御基板２２に対し各種コマンドを送信し、演出制御基板２２は、画像制御基板２３及びランプ制御基板２４との間でコマンドや信号の送受信を行う。演出制御基板２２には、演出ボタン１０が押下操作されたことを検出する演出ボタン検出ＳＷ１３４が接続されている。画像制御基板２３には画像表示器６及びスピーカ１７が接続され、画像制御基板２３は、演出制御基板２２から受信したコマンドに従って、画像表示器６の表示画面６ａに画像を表示し、スピーカ１７から音声を出力する。ランプ制御基板２４には、演出ボタンランプ１３５、枠ランプ１８、盤ランプ１９、可動役物装置２８、シャッター装置４０Ｒ，４０Ｌ等が接続され、ランプ制御基板２４は、演出制御基板２２から受信したコマンドに従って、演出ボタンランプ１３５、枠ランプ１８、盤ランプ１９を点灯・消灯し、可動役物装置２８、シャッター装置４０Ｒ，４０Ｌを動作させる。
【００２５】
次に可動演出装置としてのシャッター装置について詳説する。図３，図４に示すように、本実施形態では４角枠形状のベース枠４２の図中右側に第１のシャッター装置４０Ｒが、図中左側に第２のシャッター装置４０Ｌが取り付けられている。
【００２６】
第１のシャッター装置４０Ｒは、ベース枠４２に対して左右方向にスライド移動可能に保持された３枚の可動体４４と、これら可動体４４を左右方向に位置移動させるための駆動ユニット４６を有している。尚、３枚の可動体４４は前後方向（板厚方法）異なる位置に配置されており、ここでは最も遊技者に近い前側から順に４４ａ、４４ｂ、４４ｃとする。
【００２７】
また第２のシャッター装置４０Ｌは、ベース枠４２に対して左右方向にスライド移動可能に保持された３枚の可動体１４４と、これら可動体１４４を左右方向に位置移動させるための駆動ユニット１４６とを有している。尚、３枚の可動体１４４は前後方向異なる位置に配置されており、最も遊技者に近い前側から順に１４４ａ、１４４ｂ、１４４ｃとする。これら第１のシャッター装置４０Ｒ及び第２のシャッター装置４０Ｌは、その基本的な構造が互いに左右対称をなしている。以下の説明では、主に第１のシャッター装置４０Ｒについて説明し、第２のシャッター装置４０Ｌにおいて、第１のシャッター装置４０Ｒと同じ機能を有する要素については、第１のシャッター装置４０Ｒと同番号を付して説明を省略する。
【００２８】
ベース枠４２は、図４に示すように、上枠部４８、左右一対の側枠部５１，５２及び下枠部５３が一体に連結され、全体として４角枠形状をなし、内部に表示画面６ａに対応した大きな開口５６が形成されている。尚、ベース枠４２の上枠部４８は、図４に示すように上枠部本体４９と、その前面側に取り付けられる長尺板状のガイドカバー５０とを有している。
【００２９】
シャッター装置４０Ｒ，４０Ｌの正面図である図３で示すように、第１のシャッター装置４０Ｒはベース枠４２の右端にて、３枚の可動体４４ａ，４４ｂ，４４ｃが前後方向に重なり合った状態となっており、また第２のシャッター装置４０Ｌは、ベース枠４２の左端にて、３枚の可動体１４４ａ，１４４ｂ，１４４ｃが前後方向に重なり合った状態となっている。本例では、このように各可動体がベース枠４２の周辺部、即ち、遊技盤２の周辺部で前後方向に重なり合った状態を閉状態と称する。この閉状態にあっては、ベース枠４２の中央の開口５６が左右方向に広く維持される。
【００３０】
尚、図１に示す遊技機の正面図は、シャッター装置４０Ｒ，４０Ｌが閉状態の場合を示しており、遊技者は、左右方向に広く維持された開口５６を通じて、表示画面６ａに表示される様々な演出を視認することができる。一方、図１において、右端に位置する各可動体４４、及び、左端に位置する各可動体１４４は、いずれも装飾部材３０の後側に隠れており、遊技者からはその大部分が視認されない位置にある。
【００３１】
第１のシャッター装置４０Ｒ及び第２のシャッター装置４０Ｌは、各可動体４４，１４４を遊技盤２の中央に向かって移動させるとともに、各可動体を左右方向に広げた状態の開状態に状態変化させることができる。開状態では図２０に示すように各可動体４４，１４４が左右方向に広がって、表示画面６ａの一部を遮蔽する。
【００３２】
図５は、第１のシャッター装置４０Ｒ上部の断面図である。第１のシャッター装置４０Ｒでは前後方向異なる位置に配置された可動体４４ａ，４４ｂ，４４ｃがベース枠４２に対して左右方向にスライド移動可能に支持されている。
最も後側、即ち、最もベース枠４２に近い位置にある第３可動体４４ｃは、ベース枠４２を構成する上枠部本体４９とガイドカバー５０とで前後方向に挟み込まれた状態で、上枠部本体４９に向けて突出させたガイドピン１１６，１１７（図１４参照）の先端を、上枠部本体４９に形成されたガイド溝５４に対し摺動可能に挿入させており、第３可動体４４ｃは左右方向にスライド移動可能とされている。
【００３３】
一方、第３可動体４４ｃよりも前方に配置されている第１可動体４４ａ及び第２可動体４４ｂは、ガイドカバー５０に取り付けられたガイドロッド６４を挟んで、前方に第１可動体４４ａが、後方に第２可動体４４ｂが配置されている。
【００３４】
第１可動体４４ａの裏面には、ガイドブロック８７，８８（図１０参照）が設けられており、ガイドブロック８７，８８に形成されたガイド孔８７ａ，８８ａにガイドロッド６４を挿通させることで、第１可動体４４ａは左右方向にスライド移動可能に支持されている。
また第２可動体４４ｂの前面には、ガイドブロック９５，９６（図１１参照）が設けられており、ガイドブロック９５，９６に形成されたガイド孔９５ａ，９６ａに、同じくガイドロッド６４を挿通させることで、第２可動体４４ｂは左右方向にスライド移動可能に支持されている。
【００３５】
図５に示す各可動体が前後方向に重なり合った状態の閉状態で、遊技盤２の中央に移動するための駆動力が、駆動ユニット４６（図３参照）からラック歯１１４を介して第３可動体４４ｃに伝達されると、その駆動力は、第３可動体４４ｃの前面に設けられた突出部１１８と、第２可動体４４ｂの裏面に設けられた回動アーム９９の先端部１０２との当接作用により、詳しくは第３可動体４４ｃ側の第２突出部１２２と第２可動体４４ｂ側の係合片１０６との係合作用により（図１６（Ｂ）参照）、第２可動体４４ｂに伝達される。
【００３６】
一方、第１可動体４４ａは、図１０（Ｂ）で示すように、引張りばね６６による遊技盤２の中央側に付勢されており、第２可動体４４ｂが駆動ユニット４６からの駆動力により中央に向けて（図１０（Ｂ）における右方向に）移動すると、これに追従して第１可動体４４ａも移動する。このため本実施形態によれば、閉状態（前後方向に重なり合った状態）にある可動体４４ａ，４４ｂ，４４ｃを遊技盤２の中央に向かって移動させるとき、３枚の可動体４４ａ，４４ｂ，４４ｃは重なり合った状態を維持したまま移動を開始する。
【００３７】
次にシャッター装置を構成する各部品について詳述する。
図６は、ガイドカバー５０を除いた状態のベース枠４２の正面図である。上枠部本体４９には、第３可動体４４ｃ，１４４ｃを左右方向にスライド移動可能に保持するためのガイド溝５４が左右方向に延びる形態で右側と左側にそれぞれ形成されている。なお、ガイド溝５４の下方には、第３可動体４４ｃ，１４４ｃの位置を検出するためのフォトセンサ５５が複数取り付けられている。
一方、下枠部５３には、各可動体の下方部位をスライド移動可能に支持するためのガイドロッド５８が左右方向に延びる形態で右側と左側にそれぞれ取り付けられている。
【００３８】
図７は、上枠部本体４９の前面に取り付けられるガイドカバー５０の正面図である。ガイドカバー５０には、前後方向に貫通する横長の開口５９が、右側と左側とにそれぞれ形成されている。これら２つの開口５９は正面視の形状が左右対称形状とされている。開口５９には、図５で示すように、第３可動体４４ｃの前面側に設けられた突出部１１８や、第２可動体４４ｂの裏面側に取り付けられた回動アーム９９の先端部１０２等が収容される。
【００３９】
図７に示すように、開口５９は、下縁側に左右方向に延びる直線部６０が形成されている。一方、上縁側には中央寄りの一部に上向き円弧状に切欠かれた切欠凹所６２と、これに続いて左右方向に延びる直線部６１とが形成されている。この開口５９の上縁（詳しくは、直線部６１及び切欠凹所６２）は、回動アーム９９の先端部１０２（図１２参照）と当接して、先端部１０２の回動方向の位置を規制する。そして切欠凹所６２は、後に詳述するように、中央に向けて移動する第２可動体４４ｂを、予め定められた第２の可動体停止位置に位置停止させるために設けられている。
【００４０】
開口５９，５９の前方には、左右方向に延びるガイドロッド６４（図３参照）を保持するための一対の保持溝６３が右側と左側にそれぞれ形成されている。
また右側の開口５９の上方で、開口５９の切欠凹所６２よりも周辺部寄りの位置には、中央に向けて移動する第１可動体４４ａと当接して、第１可動体４４ａを第１の可動体停止位置で位置停止させるためのストッパ壁７０Ｒが形成されている。同じく左側の開口５９の上方で、開口５９の切欠凹所６２よりも周辺部寄りの位置には、第１可動体１４４ａを第１の可動体停止位置で位置停止させるためのストッパ壁７０Ｌが形成されている。
【００４１】
図８は、第１のシャッター装置４０Ｒの駆動ユニット４６を示した図である。７２はガイドカバー５０の前面に取り付けられる電動モータ（ステッピングモータ）である。電動モータ７２は図示しない中継基板を介してランプ制御基板２４に接続されている。電動モータ７２の出力軸には駆動ギア７３が固着されている。７４は駆動ギア７３と噛合する連結ギアである。７５は２枚のギアを同心状に配置した二段ギアで、大径ギア７５１が図中左側の連結ギア７４に噛合し、小径ギア７５２が図中右側の連結ギア７６に噛合している。これら連結ギア７４，７６及び二段ギア７５の軸部両端は、ガイドカバー５０と上枠部本体４９とにより回転可能に支持されている。そして連結ギア７６は後述する第３可動体４４ｃのラック部１１３に形成されたラック歯１１４に噛合している。
【００４２】
従って、電動モータ７２が駆動することにより駆動ギア７３が正逆回転すると、その駆動力は連結ギア７４、二段ギア７５、連結ギア７６を介してラック歯１１４に伝達され、ラック部１１３、即ち、第３可動体４４ｃが左右方向に移動せしめられる。即ち、第１のシャッター装置４０Ｒでは、電動モータ７２、駆動ギア７３、連結ギア７４、二段ギア７５、連結ギア７６及び第３可動体４４ｃのラック部１１３が、第３可動体４４ｃを左右方向に移動させる駆動手段を構成している。
【００４３】
次に、第１のシャッター装置４０Ｒの可動体４４について説明する。図９，図１１，図１３で示すように各可動体４４は、取り付け状態で上下方向に長く、左右方向に短い板状をなし、画像表示器６の表示画面６ａの前面に位置することで表示画面６ａの一部を遮蔽する本体部７８と、本体部７８の上部に取り付けられた上側部材８０と、本体部７８の下部に取り付けられた下側部材８２と、をそれぞれ備えている。
【００４４】
本体部７８は、内部にＬＥＤを有した基板が収納され、また本体部７８の前面は半透明とされており、発光手段としてのＬＥＤからの光が前面を透過するように構成されている。各可動体の本体部７８の前面には、装飾部材３０（図１参照）にも描かれている人に似た生物の顔が上下方向に複数配されている。その顔は、前方に配置される第１可動体４４ａにて１つ1つが大きく描かれ、そして後方の可動体、即ち第２可動体４４ｂ、更には第３可動体４４ｃになるほど顔１つ１つが小さく、そして数多く描かれている。このため各可動体４４ａ、４４ｂ、４４ｃが広がった状態で配置された時、図２０に示すように遊技盤２の周辺部から中央に向けて、可動体に描かれた顔が次第に小さくなるように配置され、中央に位置する表示画面６ａに向けて奥行感を与える演出を行うことができる。
【００４５】
本実施形態における３つの可動体４４ａ，４４ｂ，４４ｃは、何れも内部に収容したＬＥＤを発光させる。このため、最も前側に位置する第１可動体４４ａ、詳しくはその内部に収納されている基板は、その上方から延び出した可撓性を有するフレキシブル配線板８１ａ（図９参照）にてランプ制御基板２４と接続されている。また、第２可動体４４ｂは第１可動体４４ａの下方から延び出したフレキシブル配線板８１ｂにより第１可動体４４ａと接続され、第３可動体４４ｃは同じく第１可動体４４ａの下方から延び出したフレキシブル配線板８１ｃにより第１可動体４４ａと接続されている。そして各可動体は、これらフレキシブル配線板を介して受信したランプ制御基板２４からの制御信号に基づいて発光する。
【００４６】
第１可動体４４ａでは、図９に示すように、略縦長板状の本体部７８ａの上部に設けられた上側部材８０ａが、薄い鋼板を折曲げ成形したベース板部８４と、ベース板部８４の前面に取り付けられたカバー部８５とを有している。ベース板部８４は本体部７８ａの上部にねじ部材により締結固定されている。カバー部８５は、ランプ制御基板２４と接続されたフレキシブル配線板８１ａの一部を、ベース板部８４との間で挟み込んで保護している。
【００４７】
ベース板部８４の裏面には、図１０に示すように左右方向に離間した２箇所にガイドブロック８７，８８が取り付けられている。これらガイドブロック８７，８８には、ガイドロッド６４を挿通させるガイド孔８７ａ、８８ａがそれぞれ形成されている。
【００４８】
また、ベース板部８４の上端には、係止爪８６が形成されており、この係止爪８６に引張りばね６６の一端が係止されている。引張りばね６６の他端は図３で示すようにベース枠４２のブロック４９ａに係止されており、第１可動体４４ａは引張りばね６６により遊技盤２の中央に向けて付勢されている。
そして、この引張りばね６６の付勢力により、第１可動体４４ａのガイドブロック８８が、図１０（Ｂ）で示すように、同じくガイドロッド６４に沿ってスライド移動する第２可動体４４ｂ側のガイドブロック９５と当接し、第１可動体４４ａと第２可動体４４ｂとが左右方向に広がる前の、前後方向に重なり合った状態で、一体移動可能に連結される。即ち、引張りばね６６、第１可動体４４ａのガイドブロック８８及び第２可動体４４ｂのガイドブロック９５が、第１可動体４４ａと第２可動体４４ｂとを互いに一体移動可能に連結する第１の連結手段を構成している。
【００４９】
また、図１０（Ａ）で示すように、ガイドブロック８８は、上方に延び出したその上部をベース枠４２の側に突出させ、当接部９０が形成されている。第１可動体４４ａは、遊技盤２の中央に向かって移動した際、この当接部９０がベース枠４２に形成されたストッパ壁７０Ｒ（図５参照）と当接することで、それ以降の移動が阻止され、第１の可動体停止位置に位置停止する。即ち、ストッパ壁７０Ｒと、第１可動体４４ａの当接部９０が、上記第１の連結手段による連結を解除する第１の連結解除手段を構成している。
【００５０】
一方、図９に示す第１可動体４４ａの下側部材８２ａは、樹脂にて略Ｌ字形状に成形され、その基端側が本体部７８ａの下端にねじ部材により締結固定されている。下側部材８２ａにはガイドロッド５８を挿通させるガイド孔９１が形成されている。また下側部材８２ａの内部には、第１可動体４４ａと第２可動体４４ｂを接続するフレキシブル配線板８１ｂと、第１可動体４４ａと第３可動体４４ｃを接続するフレキシブル配線板８１ｃとが収容されており、これらフレキシブル配線板の変形を所定長さに亘って規制している。これにより、各可動体の移動に伴ない可動体同士の相対距離が変化した際、フレキシブル配線板８１ｂ，８１ｃが意図しない箇所で過度に折れ曲がるのを防止している。
【００５１】
図１１は、第２可動体４４ｂを示した図である。本体部７８ｂの上部には上側部材８０ｂが、また本体部７８ｂの下部には下側部材８２ｂが設けられている。
上側部材８０ｂでは、鋼板を折曲げ成形したベース板部９４が本体部７８ｂの上部にねじ部材により締結固定されている。ベース板部９４の前面側には、左右方向に離間した２箇所にガイドブロック９５と９６が取り付けられている。ガイドブロック９５、９６にはそれぞれガイド孔９５ａ、９６ａが形成されており、取り付け状態においてガイド孔９５ａ、９６ａにガイドロッド６４を挿通させることで、第２可動体４４ｂが左右方向にスライド移動可能に保持される。
【００５２】
また、第２可動体４４ｂの下側部材８２ｂは、樹脂にて成形され、その基端側が本体部７８ｂの下端にねじ部材により締結固定されている。下側部材８２ｂにはガイドロッド５８を挿通させるガイド孔９７が形成されている。また、下側部材８２ｂの下端には下向きに開口する保持溝１０１が形成されており、フレキシブル配線板８１ｂが所定長さに亘って保持される。
【００５３】
図１２に示すように、上側部材８０ｂには、裏面側から突出する形態で軸ピン９８が取り付けられ、回動アーム９９がこの軸ピン９８周りに回動可能に取り付けられている。回動アーム９９は、軸ピン９８と嵌合する基部１００と、先端部１０２と、基部１００と先端部１０２とを連結する連結部１０４とで構成されている。
【００５４】
先端部１０２は、一方の端面を上側部材８０ｂの裏面に摺接させた太径部１０２ａと、太径部１０２ａの他方の端面から同心状に軸方向に延びる細径部１０２ｂを有している。太径部１０２ａは、連結部１０４との接続部分から先端にかけての上側約半周の周面が円弧形状に形成されている。一方、太径部１０２ａの下側には、下向きに突出する係合片１０６が形成されている。この係合片１０６は、第２可動体４４ｂと第３可動体４４ｃとが左右方向に広がる前の、前後方向に重なり合った状態で、第３可動体４４ｃの第２突出部１２２（図１３参照）と係合して、その係合作用により、第２可動体４４ｂと第３可動体４４ｃとが一体移動可能に連結される。即ち、第２可動体４４ｂ側の軸ピン９８、回動アーム９９、第３可動体４４ｃの第２突出部１２２が、第２可動体４４ｂと第３可動体４４ｃとを互いに一体移動可能に連結する第２の連結手段を構成している。
【００５５】
図１２に示すように、回動アーム９９の基部１００の周りには捩りコイルばね１０８が装着されている。捩りコイルばね１０８はその一端をベース板部９４に形成された折曲片９４ａに係止させ、他端を回動アーム９９の連結部１０４の下面に係止させており、捩りコイルばね１０８の付勢力により回動アーム９９の先端部１０２は図中上向きに付勢されている。尚、回動アーム９９及び捩りコイルばね１０８は、平ワッシャ１０９及びリテーナ１１０により軸方向への抜けが防止されている。
【００５６】
この第１のシャッター装置４０Ｒでは、図１８（Ｂ）で示すように、第２可動体４４ｂの先端部１０２が、ガイドカバー５０の開口５９に形成された切欠凹所６２に到ると、捩りコイルばね１０８の付勢力により回動アーム９９の先端部１０２が、切欠凹所６２に形成された凹曲面６２ａに沿って上向きに回動し、第２可動体４４ｂの係合片１０６と第３可動体４４ｃの第２突出部１２２との係合が解除され、それまで一体に移動していた第２可動体４４ｂと第３可動体４４ｃとの連結が解除される。即ち、ガイドカバー５０の開口５９の凹曲面６２ａ、及び、捩りコイルばね１０８が、第２可動体４４ｂと第３可動体４４ｃとの連結を解除する第２の連結解除手段を構成している。
【００５７】
尚、図１２において、１１２は、可動体を開状態から閉状態に、即ち、遊技盤２の周辺部に向けて後退移動させる際、第３可動体４４ｃからの駆動力を第２可動体４４ｂに伝達するためのブロックである。
【００５８】
図１３は、最も後側（表示画面６ａに近い側）に位置する第３可動体４４ｃを示した図である。本体部７８ｃの上部には、樹脂で成形された上側部材８０ｃがねじ部材で締結固定されている。また、本体部７８ｃの下部には樹脂で成形された下側部材８２ｃがねじ部材で締結固定されている。
【００５９】
上側部材８０ｃは、その上端部に、左右方向に所定長さ延出させたラック部１１３を有し、その上面にラック歯１１４が形成されている。ラック歯１１４は駆動ユニット４６の連結ギア７６と噛合して電動モータ７２からの駆動力を第３可動体４４ｃに伝達する。１１６，１１７は前後方向両側に突出したガイドピンで、図１４で示す裏側（ベース枠４２の側）に突出する一端側を、上枠部本体４９に形成されたガイド溝５４に挿入し（図５参照）、また図１３で示す前側（ガイドカバー５０の側）に突出する他端側をガイドカバー５０の開口５９に挿入して、第３可動体４４ｃの左右方向へのスライド移動を可能とする一方、第３可動体４４ｃの上下方向の移動を規制する。
尚、図１４において、１２６は、第３可動体４４ｃの位置を、フォトセンサ５５を用いて検出するための被検出片である。
【００６０】
図１３に示すように、上側部材８０ｃの前面には、ガイドピン１１６，１１７の間の位置に、第２可動体４４ｂの側に突出する突出部１１８が形成されている。突出部１１８は、部分拡大図で示すように、左右方向に細長く延びる第１突出部１２０と、第１突出部１２０の左側（遊技盤２の中央寄り）の突出面から更に前側（第２可動体４４ｂの側）に突出する第２突出部１２２とを有している。
【００６１】
第１突出部１２０は、遊技盤２の中央寄りの図中左側が幅広に形成されており、その左側面から上面にかけて円弧状の第１ガイド面１２０ａが形成され、第１ガイド面１２０ａに続いて直線状に延びる第２ガイド面１２０ｂが形成されている。これら第１ガイド面１２０ａ及び第２ガイド面１２０ｂは、図１８（Ｂ）、図１９（Ｂ）で示すように、第２可動体４４ｂ側の回動アーム９９の細径部１０２ｂと当接して、第２の可動体停止位置にある第２可動体４４ｂにおける回動アーム９９の回動を規制する。
【００６２】
一方、第１突出部１２０よりも更に第２可動体４４ｂの側に突出する第２突出部１２２は、図５に示すように、第２可動体４４ｂ側の係合片１０６とその前後方向の高さが重複するようにその高さが設定されており、第２突出部１２２が第２可動体４４ｂ側の係合片１０６と係合すると（図１７（Ｂ）参照）その係合作用により、第２可動体４４ｂと第３可動体４４ｃとが、遊技盤２の中央に向かって一体移動可能に連結される。
尚、図１３において、１２４は、第３可動体４４ｃが遊技盤２の周辺部に向けて後退移動の際に、第２可動体４４ｂのブロック１１２に当接して、駆動力を第２可動体４４ｂに伝達する当接ピンである（図２２参照）。
【００６３】
一方、下側部材８２ｃは、樹脂で成形され、ガイドロッド５８を内部に挿通させるガイド孔１２５、及び、フレキシブル配線板８１ｃを内部に収納する収容溝１２７が形成されている。
【００６４】
以上のように構成された第１のシャッター装置４０Ｒでは、図１５で示すように、各可動体を、同図（Ｉ）の閉状態から同図（Ｖ）の開状態に変化させる。以下ではその動作について説明する。
【００６５】
図１５（Ｉ）に示す閉状態において、３枚の可動体４４ａ，４４ｂ，４４ｃは装飾部材３０の後方において前後方向に重なり合って、その大半が遊技者からは視認されない位置にある。
【００６６】
このとき、第１可動体４４ａと第２可動体４４ｂとの間においては、図１６（Ｃ）で示すように、第１の連結手段を構成する引張りばね６６の付勢力により、第１可動体４４ａのガイドブロック８８の端面が第２可動体４４ｂのガイドブロック９５の端面に当接する状態に押付け固定されており、第１可動体４４ａと第２可動体４４ｂとが一体移動可能に連結されている。
一方、第２可動体４４ｂと第３可動体４４ｃとの間においては、図１６（Ｂ）で示すように、第２の連結手段を構成する第２可動体４４ｂ側の回動アーム９９の先端部１０２が開口５９の上縁に接した状態で、先端部１０２の上向きの回動が規制され、先端部１０２の係合片１０６が、第３可動体４４ｃ側の第２突出部１２２と係合して、第２可動体４４ｂと第３可動体４４ｃとが一体移動可能に連結されている。
【００６７】
この状態で、図１６（Ａ）で示すように電動モータ７２が駆動して、ラック歯１１４と噛合している連結ギア７６が正面視で時計方向に回転すると、ラック部１１３を介して第３可動体４４ｃに伝達された駆動力により、各可動体４４ａ，４４ｂ，４４ｃは重なり合った状態を維持したまま図中左方向にスライド移動する。このため遊技者からは図１５（II）に示すように、最前の第１可動体４４ａが優先して視認され、図中ハッチングで示した装飾部材３０の脇から先ず第１可動体４４ａが延び出すように見える。
【００６８】
次に、各可動体が第１の可動体停止位置まで移動すると、図１７（Ｃ）に示すように、第１の連結解除手段を構成するストッパ壁７０Ｒに、第１可動体４４ａの当接部９０の端面が当接して、第１可動体４４ａの移動が阻止され、第１可動体４４ａが第１の可動体停止位置に位置固定される。
以降は、図１７（Ａ），（Ｂ）に示すように、第２の連結手段により一体移動可能に連結された第２可動体４４ｂ及び第３可動体４４ｃが重なり合った状態で一体に位置移動を継続する。このため遊技者からは、図１５（III）に示すように、移動停止した第１可動体４４ａの脇から第２可動体４４ｂが延び出すように見える。
【００６９】
そして、第２可動体４４ｂ及び第３可動体４４ｃが第２の可動体停止位置まで移動すると、図１８（Ｂ）に示すように、第２の連結解除手段を構成する捩りコイルばね１０８の付勢力により、回動アーム９９の先端部１０２は、切欠凹所６２の凹曲面６２ａの形状に沿って、図中上向きに回動し、回動アーム９９側の係合片１０６と第３可動体４４ｃ側の第２突出部１２２との係合が解除され、第２可動体４４ｂが第２の可動体停止位置に位置固定される。
以降は、第２可動体４４ｂとの連結状態が解除された第３可動体４４ｃのみが位置移動を継続する。このため遊技者からは図１５（IV）に示すように、移動停止した第２可動体４４ｂの脇から第３可動体４４ｃが延び出すように見える。
【００７０】
尚、第２の可動体停止位置にある第２可動体４４ｂは、図１８（Ｂ）、図１９（Ｂ）で示すように先端部１０２（太径１０２ａ）の上面が凹曲面６２ａに当接した状態で先端部１０２の時計方向の回動が阻止され、また細径部１０２ｂが第１ガイド面１２０ａ若しくは第２ガイド面１２０ｂと当接して先端部１０２の反時計方向の回動が阻止される。このため、万一、第２の可動体停止位置で移動停止した第２可動体４４ｂに外力が働いても第２可動体４４ｂの移動は有効に防止される。
【００７１】
そして、図１９に示すように、第１可動体４４ａは第１の可動体停止位置に、また第２可動体４４ｂは第２の可動体停止位置に、それぞれ位置停止した状態で、電動モータ７２の回転に基づき第３可動体４４ｃのみが移動し、その後、所定の位置にて第３可動体４４ｃが位置停止する。これにより図１５（Ｖ）に示すように、第１のシャッター装置４０Ｒは、各可動体が左右方向に広がった開状態となって、表示画面６ａの一部を遮蔽する。
【００７２】
以上、右側の第１のシャッター装置４０Ｒについての動作を説明したが、この時、左側の第２のシャッター装置４０Ｌにおいても、同期して各可動体が位置移動することから、図２０で示すように表示画面６ａは左右両側から可動体により遮蔽される。
【００７３】
以上のように本実施形態では、閉状態から開状態に状態変化する過程で、前側の可動体を優先的に遊技者に視認させる。具体的には装飾部材３０の後方に隠れていた各可動体のうち、先ず最前の第１可動体４４ａを装飾部材３０の中央寄りの左隣の位置で視認させ、次に第２可動体４４ｂを第１可動体４４ａの中央寄りの左隣の位置で視認させ、次に第３可動体４４ｃを第２可動体４４ｂの中央寄りの左隣の位置で視認させる。このようにすれば装飾部材３０及び各可動体に描かれていた生物の顔が、遊技盤２の中央に向かって小さくなりながら順次現れるので、遊技盤２の周辺部から中央に向けて奥行感を与える演出を行うことができる。
【００７４】
また本実施形態によれば、最前の第１可動体４４ａが優先的に、長い時間、遊技者に視認される。本例では、図２０で示すように、最前の第１可動体４４ａに生物の顔とともに「じょうじ」の文字が大きく記されており、このようなメッセージを遊技者にいち早く視認させることができる。
【００７５】
次に各可動体が左右方向に広がった開状態から、各可動体が前後方向に重なり合った閉状態に移行する閉動作について、右側の第１のシャッター装置４０Ｒを例に説明する。図２１に示すように、先ず電動モータ７２が駆動して、ラック歯１１４と噛合している連結ギア７６が正面視で反時計方向に回転すると、ラック部１１３を介して第３可動体４４ｃに伝達された駆動力により第３可動体４４ｃのみが図中右方向にスライド移動する。
【００７６】
そして、図２２に示すように、第３可動体４４ｃが、第２の可動体停止位置で位置停止している第２可動体４４ｂと重なり合った状態となり、第３可動体４４ｃ側の第２突出部１２２が第２可動体４４ｂ側の係合片１０６の下方を通り越すと、第３可動体４４ｃの当接ピン１２４が、同図（Ｂ）に示すように、第２可動体４４ｂ側のブロック１１２に当接する。すると駆動力が第２可動体４４ｂに伝達され、第２可動体４４ｂもまた図中右方向にスライド移動を開始する。この時、回動アーム９９の先端部１０２は凹曲面６２ａに沿って反時計方向下向きに回動して略水平状態となり、以降、開口５９内で回動アーム９９の係合片１０６が、第３可動体４４ｃ側の第２突出部１２２よりも中央寄りの図中左隣に位置した状態で、第２可動体４４ｂと第３可動体４４ｃとが右方向に一体に移動する。
【００７７】
そして、図２３に示すように、第２可動体４４ｂ及び第３可動体４４ｃが、第１可動体４４ａが位置停止している第１の可動体停止位置に達すると、第２可動体４４ｂのガイドブロック９５の端面が第１可動体４４ａのガイドブロック８８の端面に当接し、第１可動体４４ａは第２可動体４４ｂにより図中右方向に押圧される。これにより、引張ばね６６の付勢力に抗して第１可動体４４ａが図中右方向に移動する。即ち、これ以降は、各可動体４４ａ，４４ｂ，４４ｃが前後（板厚）方向に重なり合った状態で、図１６で示す閉状態の原点位置まで移動する。
【００７８】
次に、シャッター装置４０Ｒ，４０Ｌを用いた演出及び作用について説明する。
以下の例は、図柄変動演出のなかで、遊技者に演出ボタン１０の操作を促す際に、シャッター装置４０Ｒ，４０Ｌを作動させるものである。図柄変動演出では、選択された変動パターンに基づいて、演出制御基板２２から画像制御基板２３およびランプ制御基板２４に所定のコマンドが送信される。そして画像表示器６においては画像データを用いた演出が行なわれる。
【００７９】
ここで演出ボタン１０の操作有効期間が到来すると、ランプ制御基板２４はシャッター装置４０Ｒ，４０Ｌを作動させ、左右それぞれの可動体４４，１４４を広げて、これら可動体４４，１４４にて表示画面６ａの右側領域および左側領域を遮蔽するとともに、画像制御基板２３は表示画面６ａの中央部に残された視認可能領域に操作案内画面Ｇを表示する演出を行う。図２０はこのときの状態を示している。同図で示すように、操作案内画面Ｇはボタンを想起させる円柱体の上面に「ＰＵＳＨ」の文字が表示された画像を有している。
【００８０】
また、画像制御基板２３は、操作有効期間が到来すると、操作案内画面Ｇの表示を開始すると共に、演出制御基板２２にその旨を示す信号を送信して、演出制御基板２２からランプ制御基板２４にコマンドを送信させ、演出ボタン１０内の演出ボタンランプ１３５（図２参照）を発光させる。このようにすることで、かかる表示を見た遊技者は、演出ボタン１０を操作すべきであることをすぐに理解することができる。
【００８１】
そして、遊技者が演出ボタン１０を押圧すると、演出ボタン１０の操作を検出する演出ボタン検出ＳＷ１３４（図２参照）から検出信号が演出制御基板２２に送信される。すなわち、押圧操作が受け付けられたこととなる。演出制御基板２２は、演出ボタン検出ＳＷ１３４からこの検出信号を受信すると、その信号を画像制御基板２３に送信し、画像制御基板２３は、操作案内画面Ｇの表示を終了する。またこれと同時に演出制御基板２２はランプ制御基板２４にも信号を送信し、ランプ制御基板２４は、シャッター装置４０Ｒ，４０Ｌを作動させ、それぞれの可動体４４，１４４を遊技盤２の周辺部に位置移動させて表示画面６ａの視認可能領域を通常の状態に戻す。
【００８２】
そして表示画面６ａの視認可能領域が通常に戻った状態で、表示画面６ａでは操作案内画面Ｇに代わって演出ボタン１０の押圧操作に対応した演出の画面が表示される。
なお、操作有効期間内に演出ボタン１０の押圧操作がなされず、操作有効期間が終了したときも、操作案内画面Ｇの表示を終了するとともに、各可動体４４，１４４を遊技盤２の周辺部に位置移動させて表示画面６ａの視認可能領域を通常に戻す動作が行なわれる。その後に表示画面６ａで実行される演出は、操作有効期間内に演出ボタン１０の押圧操作がなされたときと、同一としてもよいし、異なるものとしてもよい。
【００８３】
以上のように本例では、操作案内画面Ｇを表示させる際にシャッター装置４０Ｒ，４０Ｌを作動させ、表示画面６ａの視認可能領域を限定し、その残された視認可能領域に操作案内画面Ｇを表示することで、遊技者に操作案内画面Ｇを注目させ演出ボタン１０の操作を促すことができる。このようにすることで、遊技者の操作に基づく演出を実現することができ、その結果、遊技の興趣を向上させることができる。
【００８４】
また、上記の実施形態はシャッター装置４０Ｒ，４０Ｌを作動させることにより、表示画面６ａの視認可能領域を限定するものであったが、各可動体４４，１４４の停止位置を変更する等により、可動体４４，１４４が広がった状態で、右側の第３可動体４４ｃ及び左側の第３可動体１４４ｃの互いに近接した端部同士を当接または重なり合わせて、表示画面６ａを全面に亘って遮蔽することも可能である。
【００８５】
図２４は、可動体にて表示画面６ａを全面に亘って遮蔽するシャッター装置を用いた演出の一例を示している。この例では、図柄変動演出中、同図（Ｉ）で示すように表示画面６ａにて所定の演出（第１の演出）に対応した画像を表示させた後、同図（II）で示すようにシャッター装置４０Ｒ，４０Ｌを作動させ、可動体４４，１４４にて表示画面６ａを全面に亘って遮蔽し、その状態を所定時間保持する。その後同図（III）で示すように、可動体４４，１４４を遊技盤２の周辺部に位置移動させて表示画面６ａの視認可能領域を通常の状態に戻して、表示画面６ａにて第２の演出に対応した画像を表示させる。
ここで、本例では演出実行中、表示画面６ａに表示されている背景画像を、第１の演出における枯れ木の画像Ｈ１から、第２の演出における葉の茂った木の画像Ｈ２に切り替えている。このように本例によれば、演出内容に基づいて表示画面６ａに表示される画像が大きく変化する際、一旦、表示画面６ａを覆い隠すことで、遊技者に表示画面６ａを注目させ、そこに表示される画像の変化を遊技者に強く印象付けることができる。
【００８６】
以上、本発明の実施形態を詳述したが、これはあくまで一例示である。例えば表示画面を遮蔽する可動体の枚数は３枚に限定するものではなく、場合によっては本実施形態の連結手段及び連結解除手段を用いて、可動体の枚数を２枚又は４枚以上とすることも可能である。また、シャッター装置を表示画面の左右両側にそれぞれ備えている場合には、何れか一方のみを作動させて表示画面の一部を遮蔽することも可能である等、本発明はその趣旨を逸脱しない範囲において種々変更を加えた態様で実施可能である。
【符号の説明】
【００８７】
１…遊技機
２…遊技盤
６ａ…表示画面
２２…演出制御基板（演出制御手段）
２３…画像制御基板（演出制御手段）
２４…ランプ制御基板（演出制御手段）
４０Ｒ…第１のシャッター装置（可動演出装置）
４０Ｌ…第２のシャッター装置（可動演出装置）
４４，１４４…可動体
４４ａ，１４４ａ…第１可動体
４４ｂ，１４４ｂ…第２可動体
４４ｃ，１４４ｃ…第３可動体
４６，１４６…駆動ユニット
６６  引張りばね（第１の連結手段）
８８，９５  ガイドブロック（第１の連結手段）
７０Ｒ，７０Ｌ  ストッパ壁（第１の連結解除手段）
９０  当接部（第１の連結解除手段）
９８  軸ピン（第２の連結手段）
９９  回動アーム（第２の連結手段）
１２２  第２突出部（第２の連結手段）
６２ａ  凹曲面（第２の連結解除手段）
１０８  捩りコイルばね（第２の連結解除手段）
【図１】
2018038474.tif 000003
【図２】
2018038474.tif 000004
【図３】
2018038474.tif 000005
【図４】
2018038474.tif 000006
【図５】
2018038474.tif 000007
【図６】
2018038474.tif 000008
【図７】
2018038474.tif 000009
【図８】
2018038474.tif 000010
【図９】
2018038474.tif 000011
【図１０】
2018038474.tif 000012
【図１１】
2018038474.tif 000013
【図１２】
2018038474.tif 000014
【図１３】
2018038474.tif 000015
【図１４】
2018038474.tif 000016
【図１５】
2018038474.tif 000017
【図１６】
2018038474.tif 000018
【図１７】
2018038474.tif 000019
【図１８】
2018038474.tif 000020
【図１９】
2018038474.tif 000021
【図２０】
2018038474.tif 000022
【図２１】
2018038474.tif 000023
【図２２】
2018038474.tif 000024
【図２３】
2018038474.tif 000025
【図２４】
2018038474.tif 000026
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
（ａ）画像を表示する表示画面と、
（ｂ）該表示画面の前側に位置する複数の可動体を有し、これら複数の可動体を、前後方向に重なり合った状態の閉状態と、移動方向である左右方向に広がって前記表示画面の少なくとも一部を遮蔽する状態の開状態と、に状態変化させる可動演出装置と、
（ｃ）前記可動体の状態変化と連携して、前記表示画面に表示される前記画像を変化させる演出制御手段と、を備え、
前記可動演出装置は、
前記閉状態から前記開状態に到る途中に設定された可動体停止位置までの間、前記各可動体を重なり合ったままの状態で移動させ、
前記可動体停止位置にて一部の可動体を移動停止させるように構成されていることを特徴とする遊技機。
【請求項２】
前記前後方向に重なった２つの前記可動体を互いに一体移動可能に連結する連結手段と、
前記可動体停止位置において、これら可動体の連結を解除する連結解除手段と、が設けられ、
前記連結手段として、一方の可動体に、前記閉状態で他方の可動体と係合する係合片が設けられており、これら係合片と他方の可動体との係合作用により、前後方向に重なった前記２つの可動体を、これら可動体の進出方向に向かって重なり合ったままの状態で一体移動可能としたことを特徴とする請求項１に記載の遊技機。
【請求項３】
前記前後方向に重なった２つの前記可動体を互いに一体移動可能に連結する連結手段と、
前記可動体停止位置において、これら可動体の連結を解除する連結解除手段と、が設けられ、
前記連結手段として、一方の可動体を進出方向に付勢する引張りばねを備え、前記閉状態で前記引張りばねの付勢力により、該一方の可動体を他方の可動体と前後方向に重なり合った状態に連結するとともに、該一方の可動体を該他方の可動体の移動に追従させ、前記２つの可動体を、これら可動体の進出方向に向かって重なり合ったままの状態で一体移動可能としたことを特徴とする請求項１に記載の遊技機。
【手続補正２】
【補正対象書類名】明細書
【補正対象項目名】０００６
【補正方法】変更
【補正の内容】
【０００６】
本発明の請求項１に係る遊技機は、（ａ）画像を表示する表示画面と、（ｂ）該表示画面の前側に位置する複数の可動体を有し、これら複数の可動体を、前後方向に重なり合った状態の閉状態と、移動方向である左右方向に広がって前記表示画面の少なくとも一部を遮蔽する状態の開状態と、に状態変化させる可動演出装置と、（ｃ）前記可動体の状態変化と連携して、前記表示画面に表示される前記画像を変化させる演出制御手段と、を備え、
前記可動演出装置は、前記閉状態から前記開状態に到る途中に設定された可動体停止位置までの間、前記各可動体を重なり合ったままの状態で移動させ、前記可動体停止位置にて一部の可動体を移動停止させるように構成されていることを特徴とする。
【手続補正３】
【補正対象書類名】明細書
【補正対象項目名】０００７
【補正方法】変更
【補正の内容】
【０００７】
また本発明の請求項２に係る遊技機は、請求項１において、前記前後方向に重なった２つの前記可動体を互いに一体移動可能に連結する連結手段と、前記可動体停止位置において、これら可動体の連結を解除する連結解除手段と、が設けられ、
前記連結手段として、一方の可動体に、前記閉状態で他方の可動体と係合する係合片が設けられており、これら係合片と他方の可動体との係合作用により、前後方向に重なった前記２つの可動体を、これら可動体の進出方向に向かって重なり合ったままの状態で一体移動可能としたことを特徴とする。
また本発明の請求項３に係る遊技機は、請求項１において、前記前後方向に重なった２つの前記可動体を互いに一体移動可能に連結する連結手段と、前記可動体停止位置において、これら可動体の連結を解除する連結解除手段と、が設けられ、
前記連結手段として、一方の可動体を進出方向に付勢する引張りばねを備え、前記閉状態で前記引張りばねの付勢力により、該一方の可動体を他方の可動体と前後方向に重なり合った状態に連結するとともに、該一方の可動体を該他方の可動体の移動に追従させ、前記２つの可動体を、これら可動体の進出方向に向かって重なり合ったままの状態で一体移動可能としたことを特徴とする。